(57)【要約】【課題】  位置決め方式を異にする画像形成装置および後処理装置を自在に接続することのできるシート搬送装置を提供することを目的とする。【解決手段】  画像形成装置１０から排出されたシート１１を受け取り、隣接配備された後処理装置３０に送り込むシート搬送装置であって、シート１０を後処理装置３０まで搬送する搬送部２１と、搬送部２１をシート搬送方向と直交する方向に移動させる移動部２２と、画像形成装置１０の位置決め方式と後処理装置３０の位置決め方式とが互いに異なる場合には、搬送部２１を画像形成装置１０の位置決め方式に対応する位置まで移動させた後、画像形成装置１０からのシートを受け取り、次に、移動部２２により搬送部２１を後処理装置３０の位置決め方式に対応する位置まで移動させた後、シートを後処理装置３０に送り込むように制御する制御部２５とを備えた。【選択図】        図１
2007322516.tif 000002
【特許請求の範囲】
【請求項１】
シート上に画像を形成して該シートを装置上部に排出する画像形成装置の上部に配備され、該画像形成装置から排出されたシートを受け取って該シートを搬送し、該シートを該画像形成装置に隣接配備された、該シートに後処理を施す後処理装置に送り込むシート搬送装置において、
前記画像形成装置から受け取ったシートを前記後処理装置まで搬送する搬送部と、
該搬送部をシート搬送方向と直交する方向に移動させる移動部と、
前記画像形成装置が、該画像形成装置から排出されるシートを、シート排出方向と直交する方向の中央部に位置決めした状態で排出する中央部位置決め方式、または、該画像形成装置から排出されるシートを、シート排出方向と直交する方向の所定の一方の端部に位置決めした状態で排出する端部位置決め方式のいずれの位置決め方式の装置であるかを設定する第１の設定部と、
前記後処理装置が、該後処理装置に送り込まれるシートを、シート送込み方向と直交する方向の中央部に位置決めした状態で受け入れる中央部位置決め方式、または、該後処理装置に送り込まれるシートを、シート送込み方向と直交する方向の所定の一方の端部に位置決めした状態で受け入れる端部位置決め方式のいずれの位置決め方式の装置であるかを設定する第２の設定部と、
前記第１の設定部により設定された位置決め方式と前記第２の設定部により設定された位置決め方式とが互いに異なる位置決め方式である場合には、前記移動部により前記搬送部を、該第１の設定部により設定された位置決め方式に対応する位置まで移動させた後、前記画像形成装置から排出されたシートを受け取り、次に、該移動部により該搬送部を、該第２の設定部により設定された位置決め方式に対応する位置まで移動させた後、前記搬送部により該シートを前記後処理装置に送り込むように制御する制御部とを備えたことを特徴とするシート搬送装置。
【請求項２】
前記移動部が、シート排出方向と直交する方向に延びるラックに係合するピニオンと、
前記制御部からの制御に応じて該ピニオンを駆動するモータとを有するものであることを特徴とする請求項１記載のシート搬送装置。
【発明の詳細な説明】
【技術分野】
【０００１】
本発明は、画像形成装置から排出されたシートを該画像形成装置に隣接配備された後処理装置に搬送するシート搬送装置に関する。
【背景技術】
【０００２】
最近、画像形成装置により画像が形成された後のシートに、例えばソート処理、ステープラ処理、フィニッシャ処理などの種々の後処理を施す後処理装置が広く用いられている。これらの後処理装置は、通常、特定の画像形成装置用の後処理装置として設計製造される。このように、特定の画像形成装置用に製造された後処理装置を、その画像形成装置に組み合わせて用いる場合は全く問題はないが、ときには、その画像形成装置以外の他の画像形成装置用に製造された後処理装置を組み合わせて使用する必要が生じる。
【０００３】
ところで、画像形成装置には、シートを、シート排出方向と直交する方向の中央部に位置決めした状態で画像形成を行う中央部位置決め方式の画像形成装置と、シートを、画像形成装置に向かう操作者からみて手前側の端部に位置決めした状態で画像形成を行う端部位置決め方式の画像形成装置とがある。また、これら２つの方式の画像形成装置に接続して用いられる後処理装置にも、中央部位置決め方式の後処理装置と端部位置決め方式の後処理装置とがあり、一般的には、中央部位置決め方式の画像形成装置に端部位置決め方式の後処理装置を接続したり、端部位置決め方式の画像形成装置に中央部位置決め方式の後処理装置を接続したりすることはできない。
【０００４】
従来、画像形成装置と後処理装置とを接続する装置として、例えば、シートに画像を形成する画像形成部と、画像形成後のシートを収容するシート排出トレイとを備えた画像形成装置において、上記シート排出トレイと交換して使用することのできる、内部に後処理装置に向けてシートを搬送するシート搬送経路を備えたシート搬送ユニットを備えた画像形成装置が開示されている（例えば、特許文献１参照）。
【特許文献１】特開２００２−３６２８１２号公報
【発明の開示】
【発明が解決しようとする課題】
【０００５】
しかし、上記特許文献１に開示されたシート搬送ユニットは、画像形成部から受け取ったシートを後処理装置に向けて搬送するシート搬送経路を備えているものの、位置決め方式を異にする画像形成装置および後処理装置を自在に接続する機能は有していない。
【０００６】
本発明は、上記事情に鑑み、位置決め方式を異にする画像形成装置および後処理装置を自在に接続することのできるシート搬送装置を提供することを目的とする。
【課題を解決するための手段】
【０００７】
上記目的を達成する本発明のシート搬送装置は、
シート上に画像を形成して該シートを装置上部に排出する画像形成装置の上部に配備され、該画像形成装置から排出されたシートを受け取って該シートを搬送し、該シートを該画像形成装置に隣接配備された、該シートに後処理を施す後処理装置に送り込むシート搬送装置において、
上記画像形成装置から受け取ったシートを上記後処理装置まで搬送する搬送部と、
該搬送部をシート搬送方向と直交する方向に移動させる移動部と、
上記画像形成装置が、該画像形成装置から排出されるシートを、シート排出方向と直交する方向の中央部に位置決めした状態で排出する中央部位置決め方式、または、該画像形成装置から排出されるシートを、シート排出方向と直交する方向の所定の一方の端部に位置決めした状態で排出する端部位置決め方式のいずれの位置決め方式の装置であるかを設定する第１の設定部と、
上記後処理装置が、該後処理装置に送り込まれるシートを、シート送込み方向と直交する方向の中央部に位置決めした状態で受け入れる中央部位置決め方式、または、該後処理装置に送り込まれるシートを、シート送込み方向と直交する方向の所定の一方の端部に位置決めした状態で受け入れる端部位置決め方式のいずれの位置決め方式の装置であるかを設定する第２の設定部と、
上記第１の設定部により設定された位置決め方式と上記第２の設定部により設定された位置決め方式とが互いに異なる位置決め方式である場合には、上記移動部により上記搬送部を、該第１の設定部により設定された位置決め方式に対応する位置まで移動させた後、上記画像形成装置から排出されたシートを受け取り、次に、該移動部により該搬送部を、該第２の設定部により設定された位置決め方式に対応する位置まで移動させた後、上記搬送部により該シートを上記後処理装置に送り込むように制御する制御部とを備えたことを特徴とする。
【０００８】
本発明のシート搬送装置によれば、上記のように構成したことにより、位置決め方式を異にする画像形成装置および後処理装置を自在に接続することができる。
【０００９】
ここで、上記移動部が、シート排出方向と直交する方向に延びるラックに係合するピニオンと、
上記制御部からの制御に応じて該ピニオンを駆動するモータとを有するものであることが好ましい。
【００１０】
上記のように構成した場合は、位置決め方式を異にする画像形成装置および後処理装置を自在に接続することのできる簡単な構造のシート搬送装置を得ることができる。
【発明の効果】
【００１１】
本発明によれば、位置決め方式を異にする画像形成装置および後処理装置を自在に接続することのできるシート搬送装置が実現できる。
【発明を実施するための最良の形態】
【００１２】
以下、図を参照して本発明の実施の形態を説明する。
【００１３】
図１は、本実施形態のシート搬送装置によって互いに接続された画像形成装置および後処理装置を示す上面図（ａ）および側面図（ｂ）である。
【００１４】
図１（ａ）および図１（ｂ）には、シート１１上に画像を形成して装置上部に排出する電子写真方式の画像形成装置１０と、画像形成装置１０から排出されたシート１１を受け取ってＡ方向に搬送するシート搬送装置２０と、画像形成装置１０に隣接配備された、シート搬送装置２０からシート１１を受け取りそのシート１１に所定の後処理を施す後処理装置３０とが示されている。
【００１５】
この後処理装置３０の内部には、例えば、シートを所定の順序で並べ替えるソート部、複数枚のシートをステープル止めするステープル部、シートを折り畳む折畳み部などが備えられている。
【００１６】
図２は、本実施形態のシート搬送装置を示す上面図（ａ）および側面図（ｂ）である。
【００１７】
図２に示すように、このシート搬送装置２０は、画像形成装置１０から受け取ったシート１１を後処理装置３０まで搬送する搬送部２１と、搬送部２１をシート搬送方向Ａと直交する矢印Ｂ，Ｂ’方向に移動させる移動部２２とを有している。
【００１８】
搬送部２１は、画像形成装置１０からシート１１を受け取りそれを後処理装置３０まで搬送する複数の搬送ロール２１ａを有する。
【００１９】
移動部２２は、シート排出方向Ａと直交する矢印Ｂ，Ｂ’方向に延びる、画像形成装置１０の上部に配備されたラック１２に噛み合うピニオン２２ａと、シート搬送装置２０底部に取り付けられた、ピニオン２２ａを駆動するモータ２２ｂと、シート搬送装置２０の画像形成装置１０側の筐体側面に沿って配備された複数のローラ２２ｃおよびシート搬送装置２０の後処理装置３０側の筐体側面に沿って配備された複数のローラ２２ｄと、シート搬送装置２０の筐体底面には凹状部材２１ｂとを備えている。
【００２０】
この凹状部材２１ｂは画像形成装置１０の上部に配備された２本のレール１３ａ，１３ｂの上に載置されており、この２本のレール１３ａ，１３ｂに沿ってシート搬送装置２０は矢印Ｂ，Ｂ’方向に移動するようになっている。
【００２１】
さらに、このシート搬送装置２０には、画像形成装置１０の位置決め方式を設定する第１の設定部２３と、後処理装置３０の位置決め方式を設定する第２の設定部２４と、第１の設定部２３および第２の設定部２４による設定に基づき上記搬送部２１および上記移動部２２を制御する制御部２５とが備えられている。
【００２２】
第１の設定部２３には、操作者により操作されるユーザインターフェース２３ａが設けられている。このユーザインターフェース２３ａは、画像形成装置１０が、シートを、シート排出方向Ａと直交する方向の中央部に位置決めした状態で排出するセンターレジストレーション方式、または、シートを、操作者から見て手前側の端部に位置決めした状態で排出するフロントレジストレーション方式のうちのいずれの位置決め方式の装置であるかを選択できるようになっている。
【００２３】
第２の設定部２４には、操作者により操作されるユーザインターフェース２４ａが設けられている。このユーザインターフェース２４ａは、後処理装置３０が、シートを、シート排出方向Ａと直交する方向の中央部に位置決めした状態で受け入れるセンターレジストレーション方式、または、シートを、操作者から見て手前側の端部に位置決めした状態で受け入れるフロントレジストレーション方式のうちのいずれの位置決め方式の装置であるかを選択できるようになっている。
【００２４】
モータ２２ｂは、制御部２５による制御に応じて正回転又は逆回転するようになっており、モータ２２ｂの回転に応じてモータ２２ｂに取り付けられたピニオン２２ａが回転し、ピニオン２２ａと噛み合うラック１２によってシート搬送装置２０は矢印Ｂ又はＢ’方向に移動する。
【００２５】
なお、本実施形態におけるセンターレジストレーション方式は、本発明にいう中央部位置決め方式に相当するものであり、また、本実施形態におけるフロントレジストレーション方式は、本発明にいう端部位置決め方式に相当するものである。
【００２６】
制御部２５は、第１の設定部２３により設定された位置決め方式と第２の設定部２４により設定された位置決め方式とが互いに異なる位置決め方式である場合には、上記移動部２２により搬送部２１を、第１の設定部２３により設定された位置決め方式に対応する位置まで移動させた後、画像形成装置１０から排出されたシートを受け取り、次に、移動部２２により搬送部２３を、第２の設定部２４により設定された位置決め方式に対応する位置まで移動させた後、搬送部２１により該シートを後処理装置３０に送り込むように制御する。
【００２７】
なお、第１の設定部２３により設定された位置決め方式と第２の設定部２４により設定された位置決め方式とが同じ方式である場合には、制御部２５は、移動部２２による制御を行わずに、搬送部２１による後処理装置３０へのシート送り込みの制御のみを行う。
【００２８】
本実施形態では、シート搬送装置２０の動作を制御するために、次の４つのセンサが配備されている。すなわち、画像形成装置１０の排紙ロール１０ａの手前側に配備された、シート１１の通過を検出する排紙センサ２６、画像形成装置１０のシート搬送装置２０に対向する部分に配備された、シート搬送装置２０がフロントレジストレーションの位置にあるか否かを検出するフロントレジストレーションセンサ２７、シート搬送装置２０がセンターレジストレーションの位置にあるか否かを検出するセンターレジストレーションセンサ２８、およびシート搬送装置２０から後処理装置３０に送り込まれるシートの通過を検出する送込センサ２９の４つである。
【００２９】
なお、本実施形態では、シート搬送装置２０を移動させる移動部２２は、シート搬送装置２０底部に取り付けられたモータ２２ｂおよびピニオン２２ａにより構成されているが、本発明のシート搬送装置の移動部は、このようなラック・ピニオン方式の移動機構に限定されるものではなく、例えば、シート搬送装置２０（図２参照）の画像形成装置１０側の筐体側面に沿って配備された複数のローラ２２ｃ，２２ｄのうちの特定のローラを、正転・逆転可能なモータで駆動される、いわゆる自走コロとすることにより移動部を構成してもよい。
【００３０】
次に、本実施形態のシート搬送装置２０の動作について説明する。
【００３１】
本実施形態では、制御部２５は、第１の設定部２３により設定された位置決め方式と第２の設定部２４により設定された位置決め方式とが互いに異なる位置決め方式である場合には、上記移動部２２により搬送部２１を、第１の設定部２３により設定された位置決め方式に対応する位置まで移動させた後、画像形成装置１０から排出されたシートを受け取り、次に、移動部２２により搬送部２３を、第２の設定部２４により設定された位置決め方式に対応する位置まで移動させた後、搬送部２１により該シートを後処理装置３０に送り込むように制御する。
【００３２】
すなわち、第１の設定部２３により、画像形成装置１０がフロントレジストレーション方式に設定され、後処理装置３０センターレジストレーション方式に設定されている場合には次に示すような動作が行われる。
【００３３】
図３は、画像形成装置がフロントレジストレーション方式、後処理装置がセンターレジストレーション方式にそれぞれ設定されている場合のシート搬送装置の移動状態を示す図である。
【００３４】
この場合は、図３（ａ）に示すように、シート搬送装置２０はフロントレジストレーションセンサ２７がオンとなる位置で、画像形成装置（図示せず）から排出されたシート１１を受け取り、次に、図３（ｂ）に示すように、シート搬送装置２０は移動部２２（図２参照）により矢印Ｂ’方向に移動し、次に、図３（ｃ）に示すように、第２の設定部２４により設定されたセンターレジストレーション位置に到達した後、搬送部２１（図２参照）によりシート１１を後処理装置（図示せず）に送り込む。
【００３５】
図４は、画像形成装置がフロントレジストレーション方式、後処理装置がセンターレジストレーション方式にそれぞれ設定されている場合のシート搬送装置の動作を示すフローチャートである。なお、以下に示す図面における“フロントレジセンサ”は“フロントレジストレーションセンサ”の略称であり、また、“センターレジセンサ”は“センターレジストレーションセンサ”の略称である。
【００３６】
図４に示すように、画像形成装置１０（図４参照）による画像形成動作が開始され、画像形成されたシート１１が排紙センサ２６により検出された（ステップＳ０１）後、フロントレジストレーションセンサ２７がオンとなっているか否かの判定が行われる（ステップＳ０２）。
【００３７】
ステップＳ０２における判定の結果、フロントレジストレーションセンサ２７がオンとなっていない場合にはモータ２２ｂを逆回転させる（ステップＳ０３）ことによりフロントレジストレーションセンサ２７がオンとなる（ステップＳ０４）までシート搬送装置２０（図４参照）を矢印Ｂ’方向に移動させて、モータ２２ｂを停止させ（ステップＳ０５）、次にステップＳ０６に進む。
【００３８】
一方、ステップＳ０２における判定の結果、フロントレジストレーションセンサ２７がオンとなっている場合にはそのままステップＳ０６に進む。
【００３９】
ステップＳ０６では、送込センサをオンとした後、移動部２２（図２参照）はモータ２２ｂを正回転させる（ステップＳ０７）ことにより、シート搬送装置２０を図３（ａ）に示すフロントレジストレーション位置から矢印Ｂ’方向（図３（ｂ））に移動させ、シート搬送装置２０は図３（ｃ）に示すセンターレジストレーションの状態となる。続いて、レジ差分シフト、すなわち、シートのサイズに応じたレジ位置の微調整が行われた後（ステップＳ０８）、モータ２２ｂを停止し、シート搬送装置の移動処理を終了する。
【００４０】
こうして、シート搬送装置２０がシートのサイズに応じたレジ位置に微調整された後、シート搬送装置２０上のシート１１は、複数の搬送ロール２１ａ（図２参照）により後処理装置３０に搬送される。
【００４１】
次に、画像形成装置がセンターレジストレーション方式、後処理装置がフロントレジストレーション方式にそれぞれ設定されている場合について説明する。
【００４２】
図５は、画像形成装置がセンターレジストレーション方式、後処理装置がフロントレジストレーション方式にそれぞれ設定されているの場合のシート搬送装置の移動状態を示す図である。
【００４３】
この場合は、図５（ａ）に示すように、シート搬送装置２０はセンターレジストレーションセンサ２６がオンとなる位置で、画像形成装置（図示せず）から排出されたシート１１を受け取り、次に、図５（ｂ）に示すように、シート搬送装置２０は移動部２２（図２参照）により矢印Ｂ方向に移動し、次に、図５（ｃ）に示すように、第２の設定部２４により設定されたフロントレジストレーション位置に到達した後、搬送部２１（図２参照）によりシート１１を後処理装置（図示せず）に送り込む。
【００４４】
図６は、画像形成装置がセンターレジストレーション方式、後処理装置がフロントレジストレーション方式にそれぞれ設定されている場合のシート搬送装置の動作を示すフローチャートである。
【００４５】
図６に示すように、画像形成装置１０（図４参照）による画像形成動作が開始され、画像形成されたシート１１が排紙センサ２６により検出された（ステップＳ１１）後、センターレジストレーションセンサ２６がオンとなっているか否かの判定が行われる（ステップＳ１２）。
【００４６】
ステップＳ１２における判定の結果、センターレジストレーションセンサ２６がオンとなっていない場合にはモータ２２ｂを正回転させる（ステップＳ１３）ことによりセンターレジストレーションセンサ２６がオンとなる（ステップＳ１４）までシート搬送装置２０（図４参照）を矢印Ｂ方向に移動させて、モータ２２ｂを停止させ（ステップＳ１５）、次にステップＳ１６に進む。
【００４７】
一方、ステップＳ１２における判定の結果、センターレジストレーションセンサ２６がオンとなっている場合にはそのままステップＳ１６に進む。
【００４８】
ステップＳ１６では、送込センサをオンとした後、移動部２２（図２参照）はモータ２２ｂを逆回転させる（ステップＳ１７）ことにより、シート搬送装置２０を図５（ａ）に示すセンターレジストレーション位置から矢印Ｂ方向（図５（ｂ））に移動させ、シート搬送装置２０は図５（ｃ）に示すセンターレジストレーションの状態となる。続いて、レジ差分シフト、すなわち、シートのサイズに応じたレジ位置の微調整が行われた後（ステップＳ１８）、モータ２２ｂを停止し、シート搬送装置の移動処理を終了する。
【００４９】
こうして、シート搬送装置２０がシートのサイズに応じたレジ位置に微調整された後、シート搬送装置２０上のシート１１は、複数の搬送ロール２１ａ（図２参照）により後処理装置３０に搬送される。
【００５０】
なお、本実施形態のシート搬送装置２０は、シート搬送方向と直交する方向のシート搬送装置の位置を所定のホームポジションにリセットするホームポジションリセット機能を有している。
【００５１】
図７は、本実施形態におけるホームポジションリセット機能の説明図である。
【００５２】
ここで、ホームポジションとは、図７（ａ）に示すように、シート搬送装置２０が、センターレジストレーションセンサ２６およびフロントレジストレーションセンサ２７をともにオンにする位置にあることをいい、ホームポジションリセット機能とは、シート搬送装置の動作開始に先立ち、このホームポジションにシート搬送装置をリセットすることをいう。
【００５３】
すなわち、本実施形態では、図７（ｂ）に示すように、動作開始時のシート搬送装置２０が、センターレジストレーションセンサ２６をオフとし、フロントレジストレーションセンサ２７をオンとする位置にある場合には、シート搬送装置２０を矢印Ｂ’方向に移動させてセンターレジストレーションセンサ２６およびフロントレジストレーションセンサ２７がともにオンとなるホームポジションにリセットされる。また、図７（ｃ）に示すように、動作開始時のシート搬送装置２０が、センターレジストレーションセンサ２６をオンとし、フロントレジストレーションセンサ２７をオフとする位置にある場合には、シート搬送装置２０を矢印Ｂ方向に移動させてセンターレジストレーションセンサ２６およびフロントレジストレーションセンサ２７がともにオンとなるホームポジションにリセットされる。
【００５４】
図８は、本実施形態におけるホームポジションリセット動作のフローチャートである。
【００５５】
図８に示すように、画像形成装置１０の電源がオンになるとそれに連動してホームポジションリセット動作が開始される。先ず、センターレジストレーションセンサ２６がオンとなっているか否かの判定が行われる（ステップＳ２１）。
【００５６】
ステップＳ２１における判定の結果、センターレジストレーションセンサ２６がオンとなっていない場合にはモータ２２ｂ（図２参照）を正回転させる（ステップＳ２２）ことによりシート搬送装置２０を矢印Ｂ’方向（図７参照）に移動させ、センターレジストレーションセンサ２６がオンとなった時点（ステップＳ２３）でモータ２２ｂの回転を停止し（ステップＳ２４）、ステップＳ２５に進む。
【００５７】
一方、ステップＳ２１における判定の結果、センターレジストレーションセンサ２６がオンとなっている場合にはそのままステップＳ２５に進む。
【００５８】
ステップＳ２５では、フロントレジストレーションセンサ２７がオンとなっているか否かの判定が行われる。
【００５９】
ステップＳ２５における判定の結果、フロントレジストレーションセンサ２７がオンとなっていない場合にはモータ２２ｂ（図２参照）を逆回転させる（ステップＳ２６）ことによりシート搬送装置２０を矢印Ｂ方向（図７参照）に移動させ、フロントレジストレーションセンサ２７がオンとなった時点（ステップＳ２７）でモータ２２ｂの回転を停止し（ステップＳ２８）、このリセット処理を終了する。
【００６０】
一方、ステップＳ２５における判定の結果、フロントレジストレーションセンサ２７がオンとなっている場合にはそのままこのリセット処理を終了する。
【００６１】
なお、以上説明した実施形態以外の実施の態様について説明する。
【００６２】
第１の態様として、本発明のシート搬送装置と画像形成装置１０（図１参照）とを組み合わせてソータ処理装置を構成する例について説明する。すなわち、画像形成装置１０のシート排出部を、排出されたシートがシート搬送装置２０の上面に排出されるように構成するとともに、画像形成装置１０に、画像形成装置１０から排出される複数のシートを所定の順番に並べ替えさせるソート制御信号を送信するようにし、また、シート搬送装置２０には画像形成装置１０から送信されたソート制御信号を受信するようにするとともに、シート搬送装置２０の上面に、画像形成装置１０から排出されたシートを受け取りそれを所定位置に積載するトレイを設け、さらに制御部２５に、画像形成装置１０から送られてきたソート制御信号に基づきシート搬送装置２０を矢印Ｂ，Ｂ’ 方向の所定のソート位置に移動させるように制御する機能を持たせる。
【００６３】
このように構成された画像形成装置１０とシート搬送装置２０を組み合わせ、シート搬送装置２０を所定のソート位置に移動させた後に画像形成装置１０からシートを排出することにより、シート搬送装置２０のトレイ上にソートされた状態でシートを積載することができる。
【００６４】
さらに、第２の態様として、画像形成装置１０（図１参照）の位置決め方式と後処理装置３０（図１参照）の位置決め方式とが同じ方式である場合に、画像形成装置１０（図１参照）およびシート搬送装置２０に上記第１の態様と同様のソート機能を持たせる。シート搬送装置２０（図１参照）は、画像形成装置１０から排出されたシートを受け取った後、矢印Ｂ，Ｂ’ 方向の所定のソート位置に移動することにより、後処理装置のトレイに、オフセットソートされた状態でシートを排出させることができる。
【図面の簡単な説明】
【００６５】
【図１】本実施形態のシート搬送装置によって互いに接続された画像形成装置および後処理装置を示す上面図（ａ）および側面図（ｂ）である。
【図２】本実施形態のシート搬送装置を示す上面図（ａ）および側面図（ｂ）である。
【図３】画像形成装置がフロントレジストレーション方式、後処理装置がセンターレジストレーション方式にそれぞれ設定されているの場合のシート搬送装置の移動状態を示す図である。
【図４】画像形成装置がフロントレジストレーション方式、後処理装置がセンターレジストレーション方式にそれぞれ設定されている場合のシート搬送装置の動作を示すフローチャートである。
【図５】画像形成装置がセンターレジストレーション方式、後処理装置がフロントレジストレーション方式にそれぞれ設定されているの場合のシート搬送装置の移動状態を示す図である。
【図６】画像形成装置がセンターレジストレーション方式、後処理装置がフロントレジストレーション方式にそれぞれ設定されている場合のシート搬送装置の動作を示すフローチャートである。
【図７】本実施形態におけるホームポジションリセット機能の説明図である。
【図８】本実施形態におけるホームポジションリセット動作のフローチャートである。
【符号の説明】
【００６６】
１０    画像形成装置
１０ａ    排紙ロール
１１    シート
１２    ラック
１３ａ，１３ｂ    レール
２０    シート搬送装置
２１    搬送部
２１ａ    搬送ロール
２１ｂ    凹状部材
２２    移動部
２２ａ    ピニオン
２２ｂ    モータ
２２ｃ，２２ｄ    ローラ
２３    第１の設定部
２３ａ    ユーザインターフェース
２４    第２の設定部
２４ａ    ユーザインターフェース
２５    制御部
２６    排紙センサ
２７    フロントレジストレーションセンサ
２８    センターレジストレーションセンサ
２９    送込センサ
３０    後処理装置
【図１】
2007322516.tif 000003
【図２】
2007322516.tif 000004
【図３】
2007322516.tif 000005
【図４】
2007322516.tif 000006
【図５】
2007322516.tif 000007
【図６】
2007322516.tif 000008
【図７】
2007322516.tif 000009
【図８】
2007322516.tif 000010